(57)【要約】【課題】  実行可能な機能のメニューをユーザーが選択して対応する機能を実行するようにした携帯機器は、多機能化するとメニューの数が膨大になり、ユーザーが所望する機能に対応したメニューを抽出することが困難であった。このため、良く使う機能のメニューのみを表示するモードを持たせたものがあるが、絞り込みすぎるとユーザーが所望する機能のメニューが抽出できない問題点があった。【解決手段】  メニューに関連する文字をユーザーがタッチパネル１ａに描画することでその文字に関連するメニューを抽出し、順次所望する機能に対応するメニューを絞り込んで行く。【選択図】          図１
2007086976.tif 000002
【特許請求の範囲】
【請求項１】
複数の機能に対応するメニューを記憶する記憶部、タッチパネル上に描画した文字・図形を認識し、辞書データを参照することで上記描画に関連する検索文字を認識する認識エンジン、この認識エンジンの認識した検索文字に関連するメニューを上記記憶部から抽出する制御部、この制御部が抽出したメニューを画面表示する表示部を備えたことを特徴とする携帯機器。
【請求項２】
複数の機能に対応するメニューを記憶する記憶部、タッチパネル上に描画した文字・図形を認識し、辞書データを参照することで上記描画に関連する検索文字を認識する認識エンジン、この認識エンジンの認識した検索文字に関連するメニューを上記記憶部から抽出する制御部、この制御部が抽出したメニューを画面表示する表示部、上記記憶部に設けられ、上記制御部が抽出した検索文字に関連するメニューを記憶する一時記憶領域を備え、上記制御部は該一時記憶領域にメニューが記憶されている場合、検索文字に関連するメニューを上記一時記憶領域から抽出して上記一時記憶領域に再記憶するようにしたことを特徴とする携帯機器。
【請求項３】
タッチパネルは表示機能を有しており、描画した文字・図形の軌跡を表示することを特徴とする請求項１又は２に記載の携帯機器。
【請求項４】
抽出したメニューが１個の場合、制御部は該メニューに対応する機能を実行することを特徴とする請求項１又は２に記載の携帯機器。
【発明の詳細な説明】
【技術分野】
【０００１】
本発明は、複数の機能を実行する携帯電話機等の携帯機器に関し、特に、機能に対応したメニューを表示し、該メニューを選択することにより対応する機能を実行するようにした携帯機器に関する。
【背景技術】
【０００２】
携帯電話機は、通常の電話機能に加えてメール機能、カメラ機能、ＧＰＳ機能等様々な機能が搭載されている。通常これらの機能は、表示部にメニュー表示がなされ、所望のメニューをユーザーが選択操作することで選択したメニューに対応した機能が実行されるようになっている。ところで、多機能化が進められるとメニューの数も膨大になり、所望の機能に対応したメニューを抽出して選択操作することが困難になってきた。
【０００３】
そこで、特許文献１では、余り使用しないメニューを表示させないメニュー表示モードを備え、該モードで選択操作することで、メニュー選択を容易にしている。
【０００４】
【特許文献１】特開２００３−５８２９２号公報
【発明の開示】
【発明が解決しようとする課題】
【０００５】
従来の技術は、良く使う機能のメニューのみを表示するようにしているため、少しは選択操作が容易になるが、良く使う機能を相当絞り込まなければメニューの数を減らすことが出来なく、一方で絞りすぎるとユーザーが所望するメニューが表示されない恐れがある等の問題点があった。
【０００６】
本発明は、上記のような問題点に鑑みてなされたものであり、所望する機能のメニューを順次絞り込むことで、容易にメニューの選択ができ、所望の機能を実行させることができる携帯機器を得ることを目的としている。
【課題を解決するための手段】
【０００７】
本発明における携帯機器は、複数の機能に対応するメニューを記憶する記憶部、タッチパネル上に描画した文字・図形を認識し、辞書データを参照することで上記描画に関連する検索文字を認識する認識エンジン、この認識エンジンの認識した検索文字に関連するメニューを上記記憶部から抽出する制御部、この制御部が抽出したメニューを画面表示する表示部から構成したものである。
【０００８】
また、本発明における携帯機器は、複数の機能に対応するメニューを記憶する記憶部、タッチパネル上に描画した文字・図形を認識し、辞書データを参照することで上記描画に関連する検索文字を認識する認識エンジン、この認識エンジンの認識した検索文字に関連するメニューを上記記憶部から抽出する制御部、この制御部が抽出したメニューを画面表示する表示部、上記記憶部に設けられ、上記制御部が抽出した検索文字に関連するメニューを記憶する一時記憶領域を備え、上記制御部は該一時記憶領域にメニューが記憶されている場合、検索文字に関連するメニューを上記一時記憶領域から抽出して上記一時記憶領域に再記憶するように構成したものである。
【発明の効果】
【０００９】
本発明によれば、タッチパネル上に所望のメニューに関連する文字・図形を描画することにより、関連するメニューを抽出するようにしたので、メニューの絞り込みが容易であり、ユーザーの意図する絞り込みで簡便にメニュー選択ができる効果がある。
【発明を実施するための最良の形態】
【００１０】
以下、本発明の実施の形態を図について説明する。図１は、本発明を概念的に示した説明図である。本発明は、携帯電話機等に適用されるものであり、「受信メール」、「新規メール作成」等のメニューが表示されるメイン表示部と入力部としてタッチパネルとが設けられる。タッチパネルは望ましくは表示機能が設けられており、タッチパネル上に描画した文字や図形の軌跡を表示するようになっている。
【００１１】
図１は読み出されたメニューの中から「新規メール作成」の機能を実行させる操作を示したものである。即ち、図１（ａ）は記憶部から実行可能な機能に対応したメニューを呼び出して表示部に表示させた状態を示している。ユーザーは「新規メール作成」の機能を実行させるべく、「新規メール作成」のメニューに付随させた「Ｎ」をタッチパネル上に描画していく。まず、図１（ｂ）に示すようにタッチパネル上の左側に上から下へ向かう線を描画する。これにより、図１（ａ）のメニューの中からＭ、Ｎ、Ｒ等のタッチパネル上に描画された線に関連する文字を付随させたメニューに絞り込まれたメニュー表示が図１（ｂ）のように表示部になされる。タッチパネルは表示機能を有しており、ユーザーが描画した軌跡が表示されている。ユーザーは、さらに図１（ｃ）に示すようにタッチパネル上に左上から右下へ向かう線を描画する。これにより、図１（ｂ）のメニューの中からタッチパネル上に描画された線に関連する文字Ｍ、Ｎを付随させたメニューに絞り込まれたメニュー表示が図１（ｃ）のようになされる。次に、ユーザーはタッチパネル上の右側に上から下へ向かう線を描画して「Ｎ」の文字を書き上げると、図１（ｄ）のようにＮを付随させた「新規メール作成」のメニューのみに絞り込まれた表示がなされ、携帯機器によって「新規メール作成」の機能が実行される。
【００１２】
図１の実施の形態ではメニューに付随させた文字をタッチパネル上に描画してメニューを絞り込む場合について説明したが、メニュー名称の一部の文字を描画してそれに関連するメニューに絞り込むことも可能である。図２はメニュー名称の一部の文字を描画して絞込みを行なう例を示したもので、ユーザーが受信メールを見る機能を実行させようとしている。即ち、図２（ａ）に示すように、記憶部からメニューを呼び出して表示部に表示させた状態で、受信メールの「受」をタッチパネル上に描画する。これにより、「受」に関連する「受信」、「受話」を一部の名称としているメニューが図２（ｂ）のように絞り込まれて表示される。この場合、３つのメニューが残っているので、図２（ｃ）、（ｄ）のように、図１の手法でメニューに付随する文字を描画することにより、「受信メール」のメニューに絞り込んでいく。
【００１３】
次に、図１及び図２のメニューの絞り込みを行なう携帯機器について、図３に示すブロック構成図を用いて説明する。図において、１は操作部で、文字等を描画入力するタッチパネル１ａとキー１ｂからなる。２はメニュー表示を行なう表示部で、ＬＣＤ等からなるメイン表示部とタッチパネルの下面で描画の軌跡等を表示するタッチパネル表示部とからなる。３は各種の機能及び機能に対応するメニューを記憶する記憶部で、メニューの中から絞り込みで抽出したメニューのリストを一時記憶する記憶領域３ａと表示部２に表示するメニューのリストを一時記憶する記憶領域３ｂとを有する。４は各部の動作を司る制御部、５は操作部１のタッチパネルに描画された文字・図形に関連する文字を辞書データ６を参照することにより抽出し、制御部へ検索文字として出力する認識エンジンである。
【００１４】
即ち、制御部４は、操作部１のタッチパネルに描画された文字・図形のデータを認識エンジン５へ伝達する。認識エンジン５は伝達された文字・図形のデータに関連する文字を辞書データ６を参照することにより抽出し、検索文字として制御部４へ伝達する。制御部４は認識エンジン５から伝達された検索文字で記憶部３に記憶しているメニューを検索し、検索文字に関連するメニューを抽出リストとして一時記憶領域３ａに記憶する。また、制御部４は抽出したメニューを表示部２に表示させるべく、一時記憶領域３ａに記憶しているメニューの一部又は全部を一時記憶領域３ｂへ記憶させて表示部２に表示させる。
【００１５】
さらに、メニューを絞り込むためにタッチパネル１ａ上に描画をすると上記と同様に認識エンジン５が辞書データ６を参照して検索文字を抽出し、その検索文字によって制御部４がメニューを検索するが、この場合、一時記憶領域３ａに前回抽出済みのメニューが記憶されているので、制御部４は一時記憶領域３ａに記憶されているメニューから抽出を行い絞り込む。
【００１６】
以下、図４のフローチャートによって、図３におけるメニューの絞り込み処理を詳述する。まず、（ＳＴ１）で携帯機器が実行可能な機能に対応したメニューを表示する。次に、ユーザーは、操作部１のタッチパネル１ａに所望のメニューに関連する文字・図形を描画する。このとき、タッチパネル１ａ下面の表示部２は描画の軌跡を表示する（ＳＴ３）。タッチパネル１ａに描画された文字・図形のデータは制御部４から認識エンジン５に伝達され、該人認識エンジン５はその文字・図形のデータを解析する（ＳＴ４）。次いで、認識エンジン５は辞書データ６を参照して解析した文字・図形のデータに関連する検索文字を抽出する（ＳＴ５）。（ＳＴ５）で検索文字が抽出できなかった場合は、エラー画面を表示部２に表示して（ＳＴ２）へ戻る（ＳＴ６）。一方、（ＳＴ５）で検索文字が抽出できると認識エンジン５は制御部４へ検索文字を伝達し、制御部４はその検索文字で記憶部３に記憶されているメニューを検索し、メニューを絞り込んで一時記憶領域３ａに記憶する（ＳＴ７）。また、制御部４は表示部２に表示させるメニューを一時記憶領域３ｂに記憶させ、表示部に表示する（ＳＴ８）。次に、制御部４は絞り込んだメニューのリストが１件か判断する（ＳＴ９）。メニューが２件以上であれば（ＳＴ２）に戻り、再び（ＳＴ２）〜（ＳＴ９）を実行して絞り込みを行なう。（ＳＴ９）でリストのメニューが１件であると判断すると、ユーザーの所望する機能のメニューと判断し、携帯機器はそのメニューに対応した機能を実行する（ＳＴ１０）。
【産業上の利用可能性】
【００１７】
本発明は、携帯電話機等の機能に対応させたメニューを表示し、ユーザが選択したメニューに対応した機能を実行するようにした携帯機器に適用することができる。
【図面の簡単な説明】
【００１８】
【図１】本発明における実施の形態に係るメニュー絞込み手法を概念的に示した説明図である。
【図２】本発明における別の実施の形態に係るメニュー絞込み手法を概念的に示した説明図である。
【図３】本発明の実施の形態における携帯機器の構成を示したブロック構成図である。
【図４】本発明の実施の形態における携帯機器のメニューの絞り込み処理を示したフローチャートである。
【符号の説明】
【００１９】
１  操作部    ２  表示部    ３  記憶部    ４  制御部    ５  認識エンジン    ６  辞書データ
【図１】
2007086976.tif 000003
【図２】
2007086976.tif 000004
【図３】
2007086976.tif 000005
【図４】
2007086976.tif 000006